(57)【要約】【課題】個人健康管理方法及びシステムが提供される。【解決手段】本発明は個人健康管理方法及びシステムに関し、ユーザの多数の身体情報を測定する少なくとも１つ以上のエージェント装置と、前記エージェント装置から前記多数の身体情報を受けて前記多数の身体情報との相関関係を分析した後、前記多数の身体情報との相関関係を示す健康管理情報を生成し、生成した健康管理情報を前記ユーザに提供するマネージャー装置とを含む。【選択図】図１
2011134331.tif 000002
【特許請求の範囲】
【請求項１】
ユーザの多数の身体情報を測定する少なくとも１つ以上のエージェント装置と、
前記エージェント装置から前記多数の身体情報を受けて前記多数の身体情報との相関関係を分析した後、前記多数の身体情報との相関関係を示す健康管理情報を生成し、生成した健康管理情報を前記ユーザに提供するマネージャー装置と、
を含む個人健康管理システム。
【請求項２】
前記マネージャー装置は、
前記多数の身体情報とユーザ履歴情報との相関関係を分析するデータ分析部と、
前記多数の身体情報と前記ユーザ履歴情報との相関関係を示す健康管理情報を生成するデータ生成部と、
前記健康管理情報を前記ユーザにディスプレイするディスプレイ部と、
前記ユーザの過去の投薬情報、過去の疾病情報及び過去の身体情報のうち少なくとも１つを含むユーザ履歴情報を保存するデータ保存部と、
を含むことを特徴とする請求項１に記載の個人健康管理システム。
【請求項３】
前記マネージャー装置は、使用できるエージェント装置を把握し、使用できるエージェント装置に多数の身体情報を測定させ、前記使用できるエージェント装置から多数の身体情報を受信することを特徴とする請求項１に記載の個人健康管理システム。
【請求項４】
前記マネージャー装置は、前記１つ以上のエージェント装置にユーザの身体情報測定または投薬調整のためのフィードバック信号を提供することを特徴とする請求項１に記載の個人健康管理システム。
【請求項５】
前記マネージャー装置は生成した健康管理情報を健康管理機関または医療機関により管理される外部サーバに伝送したり、別のデータベースまたはメモリ装置に保存することを特徴とする請求項１に記載の個人健康管理システム。
【請求項６】
前記エージェント装置は、前記マネージャー装置と有無線通信網を介して連結され、前記多数の身体情報を前記マネージャー装置に伝送することを特徴とする請求項１に記載の個人健康管理システム。
【請求項７】
前記エージェント装置は、前記マネージャー装置と一つの装置に統合してデータバスを介して連結され、前記多数の身体情報を前記マネージャー装置に伝送することを特徴とする請求項１に記載の個人健康管理システム。
【請求項８】
エージェント装置とマネージャー装置との相互情報交換によりユーザの健康を管理する個人健康管理システムを用いた個人健康管理方法において、
前記エージェント装置が前記ユーザの多数の身体情報を測定するステップと、
前記マネージャー装置が前記多数の身体情報との相関関係を分析した後、前記多数の身体情報との相関関係を示す健康管理情報を生成するステップと、
前記マネージャー装置が前記健康管理情報を前記ユーザに提供するステップと、
を含む個人健康管理方法。
【請求項９】
前記健康管理情報を生成するステップにおいて、
前記マネージャー装置は、前記多数の身体情報と前記ユーザの過去の投薬情報、過去の疾病情報及び過去の身体情報のうち少なくとも１つを含むユーザ履歴情報との相関関係を分析した後、前記多数の身体情報と前記ユーザ履歴情報との相関関係を示す健康管理情報を生成することを特徴とする請求項８に記載の個人健康管理方法。
【請求項１０】
前記マネージャー装置が使用できるエージェント装置を把握するステップと、
前記マネージャー装置が使用できるエージェント装置に多数の身体情報を測定させるステップと、
前記マネージャー装置が前記使用できるエージェント装置から多数の身体情報を受信するステップと、
をさらに含むことを特徴とする請求項８に記載の個人健康管理方法。
【請求項１１】
前記マネージャー装置が前記エージェント装置にユーザの身体情報測定または投薬調整のためのフィードバック信号を提供するステップと、
前記マネージャー装置が前記健康管理情報を健康管理機関または医療機関により管理される外部サーバに伝送するステップと、
前記マネージャー装置が前記健康管理情報を別のデータベースまたはメモリ装置に保存するステップと、
のうち１つ以上をさらに含むことを特徴とする請求項８に記載の個人健康管理方法。
【発明の詳細な説明】
【技術分野】
【０００１】
本発明は個人健康管理方法及びシステムに関し、より詳細には、ユーザの多数の身体情報を測定し、測定した多数の身体情報との相関関係を新たに情報化してユーザに提供することにより、ユーザの健康または疾病を効果的に管理できる個人健康管理方法及びシステムに関する。
【背景技術】
【０００２】
人類の高齢化及び生活環境の変化が世界的に広がり、癌、高血圧、糖尿などの慢性疾患を含む持続的な管理を要する様々な疾患が急増すると共に、個人の健康に対する関心も増大している。
【０００３】
そのため、最近では、病院に行くことなく、血圧測定計、体重計、歩数計、酸素濃度計及び体温計などといった個人健康機器を用いて個人自らが体重、血圧、体温、血糖値及びコレステロール値などを直接測定し、自身の健康を周期的にチェック及び管理する人が増えている。
【０００４】
一方、現在開発中である個人健康機器は、個人の身体情報を測定するエージェント装置（Ａｇｅｎｔ）と通信網全体を管理するマネージャー装置（Ｍａｎａｇｅｒ）で構成され、エージェント装置は測定された個人身体情報を適切な時間にマネージャー装置へ伝送する。しかし、エージェント装置とマネージャー装置は、いずれも個人の互いに異なる身体情報をそれぞれ測定、保存及び伝送する装置に過ぎず、個人の健康状態を総合的に判断するには限界がある。即ち、個人の互いに異なる身体センサにより測定された身体情報を効率的に情報化して個人の健康管理に活用するには非常に不十分な状況である。
【先行技術文献】
【特許文献】
【０００５】
【特許文献１】米国特許出願公開第２００８−０２２２２５１号明細書
【発明の概要】
【発明が解決しようとする課題】
【０００６】
本発明は、上記のような問題点を解決するために案出されたもので、その目的は、ユーザの多数の身体情報を測定し、測定した多数の身体情報との相関関係を新たに情報化してユーザに提供することにより、ユーザの健康または疾病を効果的に管理できる個人健康管理方法及びシステムを提供することである。
【０００７】
本発明の他の目的は、ユーザの多数の身体情報と過去の投薬情報、過去の疾病情報及び過去の身体情報のうち少なくとも１つを含むユーザ履歴情報との相関関係を新たに情報化してユーザに提供する個人健康管理方法及びシステムを提供することである。
【課題を解決するための手段】
【０００８】
このような目的を達成するための本発明は、ユーザの多数の身体情報を測定する少なくとも１つ以上のエージェント装置と、上記エージェント装置から上記多数の身体情報を受けて上記多数の身体情報との相関関係を分析した後、上記多数の身体情報との相関関係を示す健康管理情報を生成し、生成した健康管理情報を上記ユーザに提供するマネージャー装置と、を含む個人健康管理システムを提供する。
【０００９】
本発明は、エージェント装置とマネージャー装置との相互情報交換によりユーザの健康を管理する個人健康管理システムを用いた個人健康管理方法において、上記エージェント装置が上記ユーザの多数の身体情報を測定するステップと、上記マネージャー装置が上記多数の身体情報との相関関係を分析した後、上記多数の身体情報との相関関係を示す健康管理情報を生成するステップと、上記マネージャー装置が上記健康管理情報を上記ユーザに提供するステップと、を含む。
【００１０】
また、上記個人健康管理方法は、必要に応じて、上記マネージャー装置が上記エージェント装置にユーザの身体情報測定または投薬調整のためのフィードバック信号を提供するステップと、上記マネージャー装置が上記健康管理情報を健康管理機関または医療機関により管理される外部サーバに伝送するステップと、上記マネージャー装置が上記健康管理情報を別のデータベースまたはメモリ装置に保存するステップのうち１つ以上をさらに含むことができる。
【発明の効果】
【００１１】
以上の説明から明らかなように、本発明によれば、個人の多数の身体情報に基づき多数の身体情報との相関関係を情報化し総合的な情報を提供することにより、個人の健康または疾病を効果的に管理し、個人健康機器の活用度を向上することができる。
【図面の簡単な説明】
【００１２】
【図１】本発明の実施例による個人健康管理システムの概略的な構成を示したブロック構成図である。
【図２】本発明の実施例によるマネージャー装置の内部構成を概略的に示したブロック構成図である。
【図３】本発明の実施例による個人健康管理方法を示した流れ図である。
【発明を実施するための形態】
【００１３】
以下、添付した図面を参照し本発明の実施例を詳細に説明する。本発明を説明するに当たって、関連する公知機能または構成についての具体的な説明が本発明の旨を不明確にする虞があると判断される場合は、その詳細な説明を省略する。
【００１４】
図１は、本発明の実施例による個人健康管理システムの概略的な構成を示したブロック構成図である。
【００１５】
図１を参照すると、本発明による個人健康管理システムは、１つ以上のエージェント装置１１０及びマネージャー装置１２０などを含む。
【００１６】
エージェント装置１１０はユーザの多数の身体情報を測定し、測定した多数の身体情報をブルートゥース（Ｂｌｕｅｔｏｏｔｈ）、ジグビー（Ｚｉｇｂｅｅ）、Ｗｉ−Ｆｉ及びＵＳＢ（Ｕｎｉｖｅｒｓａｌ  Ｓｅｒｉａｌ  Ｂｕｓ）などを含む有無線通信網を介してマネージャー装置１２０へ伝送する。ここで、多数の身体情報は体重、血圧、体温、血糖値、コレステロール値、体脂肪値及び酸素飽和度などを含む。
【００１７】
エージェント装置１１０としては、ユーザの血圧を測定するための血圧測定計、ユーザの体重を測定するための体重計、ユーザの歩数を測定するための歩数計、ユーザの血中酸素濃度を測定するための酸素濃度計、ユーザの体温を測定するための体温計、フィットネス機器及び薬物治療器などが挙げられる。
【００１８】
マネージャー装置１２０は、エージェント装置１１０から多数の身体情報を受信し、受信した多数の身体情報との相関関係を分析した後、多数の身体情報との相関関係を示す健康管理情報を生成し、生成した健康管理情報をユーザに提供する。ここで、マネージャー装置１２０は、多数の身体情報とユーザの過去の投薬情報、過去の疾病情報及び過去の身体情報などを含むユーザ履歴情報との相関関係を分析した後、多数の身体情報とユーザ履歴情報との相関関係を示す健康管理情報を生成することができる。
【００１９】
また、マネージャー装置１２０は、周期的または間欠的に使用できるエージェント装置を把握し、使用できるエージェント装置に、適切な時間に多数の身体情報の測定または投薬などの調整をさせ、使用できるエージェント装置から多数の身体情報を受信することで、ユーザの健康管理をフィードバックすることができる。即ち、マネージャー装置１２０は、多数の身体情報の測定を要求する信号をエージェント装置１１０に伝送し、それに対する応答として、使用できるエージェント装置により測定された多数の身体情報を受信し、受信した多数の身体情報との相関関係を分析した後、多数の身体情報との相関関係を示す健康管理情報を新しく生成することができる。
【００２０】
また、マネージャー装置１２０は、生成した健康管理情報を健康管理機関または医療機関などにより管理される外部サーバ（図示せず）に伝送したり、別のデータベースまたはＵＳＢメモリ装置などに保存できる。
【００２１】
本発明によるマネージャー装置１２０の構成については、図２において詳細に説明する。
【００２２】
さらに、本発明による個人健康管理システムにおいてエージェント装置１１０とマネージャー装置１２０は一つの装置で構成でき、これにより、一つの装置でユーザの多数の身体情報を測定し、測定した多数の身体情報との相関関係を分析した後、多数の身体情報との相関関係を示す健康管理情報を生成することができる。このとき、エージェント装置１１０とマネージャー装置１２０はデータバスを介してデータを送受信することが好ましい。
【００２３】
図２は、本発明の実施例によるマネージャー装置の内部構成を概略的に示したブロック構成図である。
【００２４】
図２を参照すると、本発明によるマネージャー装置１２０は、データ送受信部２１０、データ分析部２２０、データ生成部２３０及びディスプレイ部２４０などを含む。
【００２５】
データ送受信部２１０は、エージェント装置１１０から多数の身体情報を受信し、多数の身体情報に相応する健康管理情報を健康管理機関または医療機関などにより管理される外部サーバに伝送したり、別のデータベースまたはＵＳＢメモリ装置などに保存でき、エージェント装置１１０とユーザの健康管理をフィードバックするための信号、例えば、ユーザの身体情報測定または投薬調整のためのフィードバック信号を送受信することができる。
【００２６】
データ分析部２２０は、エージェント装置１１０から受信した多数の身体情報との相関関係を分析する。
【００２７】
データ生成部２３０は、多数の身体情報との相関関係を示す健康管理情報を生成する。
【００２８】
ディスプレイ部２４０は、データ生成部２３０で生成された健康管理情報をユーザにディスプレイする。
【００２９】
また、本発明によるマネージャー装置１２０は、ユーザの過去の投薬情報、過去の疾病情報及び過去の身体情報などを含むユーザ履歴情報を保存するデータ保存部２５０をさらに含むことができる。これによって、データ分析部２２０は多数の身体情報とユーザ履歴情報との相関関係を分析でき、データ生成部２３０は多数の身体情報とユーザ履歴情報との相関関係を示す健康管理情報を生成することができる。
【００３０】
図３は、本発明の実施例による個人健康管理方法を示した流れ図である。
【００３１】
図３を参照すると、エージェント装置１１０は、ユーザの多数の身体情報を測定する（Ｓ３１０）。ここで、エージェント装置１１０としては、ユーザの血圧を測定するための血圧測定計、ユーザの体重を測定するための体重計、ユーザの歩数を測定するための歩数計、ユーザの血中酸素濃度を測定するための酸素濃度計、ユーザの体温を測定するための体温計、フィットネス機器及び薬物治療器などが挙げられ、多数の身体情報は、エージェント装置１１０を用いて測定された体重、血圧、体温、血糖値、コレステロール値、体脂肪値及び酸素飽和度などを含むことができる。
【００３２】
エージェント装置１１０は、測定した多数の身体情報をマネージャー装置１２０に伝送する（Ｓ３２０）。
【００３３】
マネージャー装置１２０は、受信した多数の身体情報との相関関係を分析した後、多数の身体情報との相関関係を示す健康管理情報を生成する（Ｓ３３０）。例えば、ユーザの体重減少及び血糖値の増加を同時に示す健康管理情報を提供することで、ユーザが糖尿病患者であることが疑われる。
【００３４】
ステップＳ３３０において、マネージャー装置１２０は、多数の身体情報とユーザの過去の投薬情報、過去の疾病情報及び過去の身体情報などを含むユーザ履歴情報との相関関係を分析した後、多数の身体情報とユーザ履歴情報との相関関係を示す健康管理情報を生成することができる。例えば、ユーザが高血圧患者である場合、現在の血圧と過去の血圧、投薬情報及び体重変化を同時に示す健康管理情報を提供することで、ユーザの高血圧症状が投薬または体重の調節でどれだけ好転したかを一目で把握できる。
【００３５】
マネージャー装置１２０は、生成した健康管理情報をユーザに提供する（Ｓ３４０）。マネージャー装置１２０はディスプレイ装置を通じて生成した健康管理情報をユーザに示すことができる。
【００３６】
また、マネージャー装置１２０は、周期的または間欠的に使用できるエージェント装置を把握し、使用できるエージェント装置に、適切な時間に多数の身体情報の測定または投薬などの調整をさせ、使用できるエージェント装置から多数の身体情報を受信することで、ユーザの健康管理をフィードバックすることができる（Ｓ３５０）。即ち、マネージャー装置１２０は、多数の身体情報の測定を要求する信号をエージェント装置１１０に伝送し、それに対する応答として、使用できるエージェント装置により測定された多数の身体情報を受信し、受信した多数の身体情報との相関関係を分析した後、多数の身体情報との相関関係を示す健康管理情報を新しく生成することができる。このときのエージェント装置の動作方法は、ステップＳ３１０〜Ｓ３４０と同様であるため、これに対する詳細な説明は省略する。
【００３７】
また、マネージャー装置１２０は、生成した健康管理情報を健康管理機関または医療機関などにより管理される外部サーバに伝送したり（Ｓ３６０）、別のデータベースまたはＵＳＢなどのメモリ装置などに保存できる（Ｓ３７０）。
【００３８】
以上、本発明の技術思想を説明したが、これは例示的なものであって、当該技術分野における通常の知識を有する当業者であれば、本発明の本質的な特性から逸脱しない範囲で様々な修正及び変更できる。したがって、開示された実施例は、本発明の技術思想を限定的な観点でなく、説明的な観点で考慮されたものであり、このような実施例により本発明の技術思想の範囲が限定されるわけではない。本発明の保護範囲は以下の請求範囲により解釈すべきであり、それと同等の範囲内にあるあらゆる技術思想は本発明の権利範囲に含まれていると解釈されねばならない。
【符号の説明】
【００３９】
１１０  エージェント装置
１２０  マネージャー装置
２１０  データ送受信部
２２０  データ分析部
２３０  データ生成部
２４０：ディスプレイ部
２５０  データ保存部
【図１】
2011134331.tif 000003
【図２】
2011134331.tif 000004
【図３】
2011134331.tif 000005